(57)【要約】【課題】  レイアウトや消費電力面での弊害を抑制しつつ、アイドルストップによるエンジン停止時の空気混入（摩擦係合要素のピストン室への空気混入）による不具合を防止できる自動変速機を提供する。【解決手段】  車両のエンジンにより駆動されるポンプ５０が発生させる液圧によって駆動されて作動する摩擦係合要素（クラッチやブレーキ）を有する自動変速機（ＡＴやＣＶＴ）において、アイドルストップによる車両のエンジン停止時に、前記摩擦係合要素のピストン室までの流路内に、空気混入を防止する所定の圧力を供給する低圧継続供給機構４００を設ける。【選択図】  図１
2006283809.tif 000002
【特許請求の範囲】
【請求項１】
車両のエンジンにより駆動されるポンプが発生させる液圧によって駆動されて作動する摩擦係合要素を有する自動変速機において、
アイドルストップによる車両のエンジン停止時に、前記摩擦係合要素のピストン室までの流路内に、空気混入を防止する所定の圧力を供給する低圧継続供給機構を設けたことを特徴とする自動変速機。
【請求項２】
前記所定の圧力は、前記摩擦係合要素のガタ詰め完了前までの圧力であることを特徴とする請求項１に記載の自動変速機。
【請求項３】
前記低圧継続供給機構は、前記エンジンとは別の駆動源によって駆動される低圧供給用ポンプと、この低圧供給用ポンプの出力を前記所定の圧力に調整する調圧弁と、この調圧弁の出力を不可逆的に前記流路に供給する逆止弁とによりなることを特徴とする請求項１又は２に記載の自動変速機。
【請求項４】
前記調圧弁によって調整される前記所定の圧力を変化させる電磁弁を設けたことを特徴とする請求項３に記載の自動変速機。
【発明の詳細な説明】
【技術分野】
【０００１】
本発明は、アイドルストップを行う車両に好適な自動変速機に関する。
【背景技術】
【０００２】
自動車の自動変速機としては、遊星歯車を使用する通常のＡＴに加え、近年では、ベルトを使って無段変速を行うＣＶＴも普及している。このような自動変速機は、特に通常のＡＴの場合、車両発進時に油圧（液圧）によって駆動されて作動（締結又は締結解除）するクラッチやブレーキ（通常は多板式の摩擦係合要素）を有する。ＣＶＴであっても、例えば前後進の切り換えのための油圧駆動式クラッチを有し、このクラッチを車両発進時に作動させるタイプがある。そして、このようなクラッチ等の摩擦係合要素は、通常、エンジンの回転によって駆動される油圧ポンプの出力によって駆動される。
【０００３】
ところで、近年では、例えば信号待ちなどの停車時に、エンジンを手動又は自動で停止させるアイドルストップが、燃費改善や排ガス低減などのために普及している。このアイドルストップが実行されると、エンジンが停止するため、当然に上記油圧ポンプが停止し、油圧制御の元圧（いわゆるライン圧）もゼロになり、上記クラッチ等のピストン室（クラッチを作動させるピストンを押圧すべく加圧されるシリンダ室）への圧力供給が停止される。このため、アイドルストップによるエンジン停止時には、前記ピストン室内を含む前記ピストン室までの油の室や流路から（詳細にはシーリング部分などから）少しずつ油が漏れて空気が混入する現象が起こり、特に停止時間が長いと、多量に空気が混入する。
【０００４】
そして、このような空気の混入が相当量以上あると、エンジンを再始動して車両を発進等させる時、上記混入した空気があるためにクラッチ等の再作動に時間を要し（即ち、変速応答遅れを生じ）、エンジンの空吹かしのような現象が一時的に生じたり、素早く発進できずに運転者がもたつき感を感じたりする不具合が発生することがあった。
そこで、例えば特許文献１では、車両の自動変速機において、エンジンの休止時間が設定値より長い場合には、始動後に、始動後の変速回数が設定値に到達するまで、ライン圧等を始動時用に設定した比較的高圧にして、空気混入による変速応答遅れを防止する技術が提案されている。
【０００５】
【特許文献１】特開平８−１６６０５８号公報
【発明の開示】
【発明が解決しようとする課題】
【０００６】
ところが、上述した従来の技術は、空気の混入自体を防止するのではなく、空気が混入した状態にあることを、エンジンの休止時間や変速回数から一義的に予想し、空気が混入した状態にあると判定（予想）される場合にのみ、ライン圧等を始動時用の高圧として、空気混入による不具合を回避しようとするものである。このため、空気混入による不具合を的確に回避するという点で不十分であった。
【０００７】
というのは、エンジン停止時の空気の混入の量や速度、或いはエンジン再始動時の混入空気の排出速度等は、エンジン休止時間や変速回数に対して一義的に対応するわけではなく、シーリング部分の仕上がりの違いや、油圧回路の仕様の違いなどによって、車種によっても、或いは車種が同じでも個々の車両毎に、当然に異なり、また同じ車でも、周囲温度等の状況によって当然に変動する。
このため、エンジンの休止時間に加えて変速回数を考慮したとしても、実際には空気混入が生じているのに、ライン圧等を通常の圧力にしてしまう、或いは逆に、実際には問題となる程の空気混入が生じていないのに、ライン圧等を始動時用の高圧にしてしまう、といった不的確な油圧制御が実行されてしまう恐れがある。なお、このような不的確な油圧制御が実行されると、前述の変速応答遅れ等の不具合が生じたり、或いは前記特許文献１にも問題点として記載されているように、かえって発進時に変速ショックが生じたり、といった不具合を発生させかねない。
【０００８】
そこで発明者らは、エンジンとは別の例えば電動ポンプを用いてエンジン停止時でも油圧を発生させることを検討している。しかし、例えばクラッチ等を作動させるような高圧を発生させようとすると、上記電動ポンプが大型化してレイアウト上の問題が生じたり、上記電動ポンプの消費電力が大きくなって省エネ上問題を生じたりすることが判明した。
【０００９】
そこで本発明は、レイアウトや消費電力面での弊害を抑制しつつ、アイドルストップによるエンジン停止時の空気混入（摩擦係合要素のピストン室への空気混入）による不具合を防止できる自動変速機を提供することを目的としている。
【課題を解決するための手段】
【００１０】
本願の自動変速機は、車両のエンジンにより駆動されるポンプが発生させる液圧によって駆動されて作動する摩擦係合要素を有する自動変速機において、
アイドルストップによる車両のエンジン停止時に、前記摩擦係合要素のピストン室までの流路内に、空気混入を防止する所定の圧力を供給する低圧継続供給機構を設けたことを特徴とする。
【００１１】
ここで、「摩擦係合要素」としては、クラッチやブレーキがある。また、摩擦係合要素の「作動」には、締結動作と、締結解除動作がある。また、所定の圧力を供給する「摩擦係合要素」は、必ずしも発進時点で作動するもの（シフト位置が発進に使われる１速や２速で作動するもの）に限定されない。
そして、本願発明のより好ましい態様は、請求項２に記載のように、前記所定の圧力を、前記摩擦係合要素のガタ詰め完了前までの圧力としたものである。
【００１２】
また、請求項３に記載のように、前記前記低圧継続供給機構を、前記エンジンとは別の駆動源によって駆動される低圧供給用ポンプ（例えば車両のバッテリによって駆動される電動ポンプ）と、この低圧供給用ポンプの出力を前記所定の圧力に調整する調圧弁と、この調圧弁の出力を不可逆的に前記流路に供給する逆止弁とによりなる構成としてもよい。
また、請求項３に記載の態様において、さらに請求項４に記載のように、前記調圧弁によって調整される前記所定の圧力を変化させる電磁弁を設けた構成としてもよい。
【発明の効果】
【００１３】
本願の自動変速機では、アイドルストップ時（エンジン停止時）に、前記摩擦係合要素のピストン室までの流路内に空気混入を防止する圧力が供給されるから、そもそもアイドルストップ時における前記空気混入が発生しない。このため、アイドルストップ後のエンジン再始動時（車両発進時等）に、混入した空気による変速応答遅れ等の不具合が生じたり、或いは変速ショックが生じたりする不具合を、確実に回避できる。
しかも本例の自動変速機では、アイドルストップ時に供給する圧力を、空気混入を防止する程度の低い圧力としているため、低圧継続供給機構が小型なものですみ、レイアウト上の問題や省エネ上の問題を抑制できる。
特に、請求項２に記載のように、上記圧力をガタ詰め完了前までの極低い圧力にすると、低圧継続供給機構が極めて小型になり、例えば自動変速機の既存のコントロールバルブユニットのスペースに設けること（自動変速機全体を小型に維持すること）も極めて容易になるし、消費電力の問題もほとんど無くなる。
【００１４】
また、請求項３に記載のように、調圧弁を設けてアイドルストップ時の供給圧を調整すると、低圧供給用ポンプは例えば一定の定格状態で運転すればよく、低圧供給用ポンプの制御が簡単になる。また、低圧供給用ポンプの出力圧が、例えば電源電圧の変動等によって変動しても、供給圧を所定の圧力に維持できる。
また、請求項４に記載のように、調圧弁の出力圧（調圧後の圧力）を変化させる電磁弁が設けられていると、この電磁弁を制御することによって、アイドルストップ時の供給圧を変化させることができる。
【発明を実施するための最良の形態】
【００１５】
以下、本発明の実施の形態例を図に基づいて説明する。
図１（ａ）は、本例の自動変速機の油圧回路における特徴部分を示す図であり、図２は、本例の自動変速機の部分断面図である。
まず、図２によって全体構成を説明する。なお便宜上、図２において、左側（エンジン側）をフロント側、右側（エンジンから遠い側）をリア側とする。
本例の自動変速機は、一体のケース１０内にトルクコンバータ２０、オイルポンプ５０、及び補助変速機１００を備え、ケース１０の下部にコントロールバルブユニット３００を備える。コントロールバルブユニット３００には、低圧継続供給機構４００が設けられている。この自動変速機は、エンジンの回転をトルクコンバータ２０を介して入力し、複数組のプラネタリーギアを有する変速機構（補助変速機１００）により変速してプロペラシャフト（車軸側）に出力するものである。
【００１６】
トルクコンバータ２０は、エンジンの回転を適宜減速して後述するインプットシャフト１１０に伝達する周知のものである。この場合、トルクコンバータ２０は、エンジンのクランクシャフトに連結されて回転するフロントカバー２１と、フロントカバー２１の後部に連結されたリヤカバー２２と、リヤカバー２２の内側に形成されたポンプインペラ２３と、ポンプインペラ２３に対向して配設されたタービンランナ２４と、タービンランナ２４を保持するタービンシェル２５と、ポンプインペラ２３とタービンランナ２４との間に配設されたステータ２６と、ステータ２６を支持するワンウエイクラッチ２７と、フロントカバー２１とタービンシェル２５との間に配設されたロックアップピストン２８とを備え、フロントカバー２１とリヤカバー２２で形成される室の内部に油が供給されるものである。
【００１７】
トルクコンバータ２０の中心軸線上には、補助変速機１００のインプットシャフト１１０のフロント側端部が挿通され、タービンシェル２５とロックアップピストン２８とは、その内周部においてこのインプットシャフト１１０のフロント側端部に連結されている。ステータ２６の内周は、ワンウエイクラッチ２７のアウタレースに連結され、ワンウエイクラッチ２７のインナレースは、後述するオイルポンプカバー５２のフロント側ボス５３の外周に連結され、固定状態とされている。リヤカバー２２には、前記フロント側ボス５３の外周に隙間を有して嵌挿されたボス２９が固設されている。
【００１８】
オイルポンプ５０は、オイルポンプハウジング５１とオイルポンプカバー５２とよりなる外枠内にロータ等が収納されたベーン式のポンプで、トルクコンバータ２０のボス２９の先端にロータが連結されることにより、エンジンの回転が伝達されて駆動され、ケース１０の下面側に取付けられたオイルパン３０１内の油を吸引して所定油圧を発生させる。オイルポンプカバー５２には、インプットシャフト１１０の外周に沿ってフロント側に伸びるフロント側ボス５３と、インプットシャフト１１０の外周に沿ってリア側に伸びるリア側ボス５４とが形成され、フロント側ボス５３の先端部には前述のようにワンウエイクラッチ２７のインナレースが連結されている。
このオイルポンプ５０のオイルポンプハウジング５１とオイルポンプカバー５２は、ボルト５５によりケース１０に固定されている。
また、リア側ボス５４を含むオイルポンプカバー５２やインプットシャフト１１０には、オイルポンプ５０で発生した圧油を、各所（例えば、補助変速機１００の摩擦係合要素を駆動するピストン室）に供給するための油路が形成されている。
【００１９】
補助変速機１００は、インプットシャフト１１０と、中間シャフト（図示省略）と、アウトプットシャフト（図示省略）と、フロントプラネタリーギア１４０を含む複数組のプラネタリーギア（サンギア、ピニオンギア、及びリングギアよりなるもの）と、バンドブレーキ１０１と、リバースクラッチ（Ｒ／Ｃ）１７０、ハイクラッチ（Ｈ／Ｃ）１８０、及びフォワードクラッチ（Ｆ／Ｃ）１９０を含む複数の油圧式摩擦係合要素と、を備える。
なお、アウトプットシャフトのリア側端部は、ケース１０のリア側に取付けられたリア側ケース（図示省略）内を通ってリア側に伸びており、出力フランジ部材（図示省略）を介して車両のプロペラシャフトに連結される。
【００２０】
詳細な説明は省略するが、この補助変速機１００は、図示省略したコントロールユニットによる制御によってシフト位置に応じて各油圧式摩擦係合要素が適宜作動することにより、トルクコンバータ２０からのインプットシャフト１１０の回転を、プラネタリーギアを構成する特定のギア又はキャリアに伝動したり、特定のギア又はキャリアの回転を適宜アウトプットシャフトに伝動したり、或いは適宜特定のギア又はキャリアの回転を拘束したりして、シフト位置に応じた変速を実現する。
特に、車両の前進方向への発進時には、１速から２速さらに高速段へと、シフト位置を変化させるべく、各油圧式摩擦係合要素が適宜作動する。また、後退方向のへ発進時には、後退用の変速段を実現すべく、各油圧式摩擦係合要素が適宜作動する。
【００２１】
ここで、上記油圧式摩擦係合要素の一例として、リバースクラッチ（Ｒ／Ｃ）１７０について、説明しておく。
リバースクラッチ（Ｒ／Ｃ）１７０（摩擦係合要素）は、ドラム１７１にスプラインで連結されたドリブンプレートと、ハブ１７２にスプラインで連結されたドライブプレートとを交互に積層してなる多板式のもので、図２において左右に（軸方向に）摺動するピストン１７３により各プレートが密着方向に押し付けられて発生する摩擦力により、ドラム１７１とハブ１７２とを締結する。
なお、ピストン１７３は、ドラム１７１とこのピストン１７３との間に形成された油室１７０ａ（ピストン室）に、ドラム１７１の内周側円筒部に形成された油路（符号省略）を介して、オイルポンプ５０からの圧油が供給されることにより締結位置に移動し、リテーナ１７４とこのピストン１７３との間に圧縮状態に介装されたスプリング１７５の復元力により締結解除位置に復帰する。
【００２２】
次に、コントロールバルブユニット３００は、制御用の油路が形成されたボディ内に、図示省略したコントロールユニット（電気回路）により制御される各種ソレノイドバルブや、セレクトレバーの操作に応じて作動するマニュアルバルブ等を含む複数のバルブが取付けられて、油圧制御回路を構成するもので、ケース１０の下面側にオイルパン３０１に覆われた状態で取付けられ、セレクトレバーの操作やコントロールユニットの制御に基づき、油圧ポンプ５０で発生する圧油を、必要に応じて圧力を調整しつつ、ケース１０等に形成された所定の油路を介して、適宜トルクコンバータ２０や補助変速機１００の所定の油室等に供給するものである。これにより、補助変速機１００の各部位の潤滑や冷却等が行われるとともに、トルクコンバータ２０のロックアップピストン２８や、補助変速機１００の各クラッチ又はブレーキのピストンが適宜作動する構成となっている。
【００２３】
低圧継続供給機構４００は、補助変速機１００の各摩擦係合要素のピストン室までの流路内に、アイドルストップによる車両のエンジン停止時に、空気混入を防止する所定の圧力を供給するものである。この  低圧継続供給機構４００は、この場合、ケース１０の下面側にオイルパン３０１に覆われた状態で、コントロールバルブユニット３００のための既存のスペース内に設けられている。
ここで、「空気混入を防止する所定の圧力」とは、上記ピストン室までの流路内（ピストン室自体を含む）から漏れる分の油を補充できる圧力、いいかえると上記ピストン室までの流路内に空気が混入しない流量で油を供給できる圧力を意味し、好ましくは、上記摩擦係合要素のガタ詰め完了前までの圧力である。
【００２４】
なお、発明者らの計算によれば、本例のようなタイプの一般的な自動変速機では、上記ピストン室までの流路内からの漏れに対しては、１リットル／分程度のオイルポンプの吐出量で十分あり、０．１ＭＰａ程度の圧力を加えれば、この漏れ量に相当する油を補給して空気混入を防止できることが分かっており、上記摩擦係合要素をガタ詰め完了状態にすることができる。
ここで、「ガタ詰め完了状態」とは、摩擦係合要素のクリアランス（多板式のものの場合には、各プレート（ドリブンプレートとドライブプレート）相互間の隙間）がゼロになった状態を意味する。
また、「ガタ詰め完了前までの圧力」とは、上記ガタ詰め完了状態を実現する圧力よりも小さい圧力を意味する。いいかえると、「ガタ詰め完了前までの圧力」とは、摩擦係合要素のピストンを押すことのない低圧であり、具体的には、ピストン面積をＡ、リターンスプリング力をＦｓ、ピストンストロークのフリクション（摩擦抵抗力）をＦｆとした場合、（Ｆｓ＋Ｆｆ）／Ａとほぼ同じ程度の圧力であることを意味する。
【００２５】
次に、図１（ａ）により、低圧継続供給機構４００の構成を説明する。
本例の低圧継続供給機構４００は、車両のバッテリによって駆動される電動ポンプ４０１（車両のエンジンとは別の駆動源によって駆動される低圧供給用ポンプ）と、この電動ポンプ４０１の出力を前記所定の圧力に調整する調圧弁４０２と、この調圧弁４０２の出力を不可逆的に前記流路に供給する逆止弁４０３と、調圧弁４０２によって調整される前記所定の圧力を変化させる電磁弁４１０と、を備える。
【００２６】
電動ポンプ４０１は、車両のバッテリから電源供給され前述のコントロールユニットによって制御されるモータ４０１ａと、このモータ４０１ａによって回転駆動されるポンプ本体４０１ｂとよりなる。ここで、ポンプ本体４０１ｂの吸込みポートは、例えばパイプ等によって構成される吸込み流路４０４によって、前述したオイルパン３０１内の油面下に接続され、ポンプ本体４０１ｂの吐出ポートは、調圧弁４０２の後述する入力ポート４０２ａに接続されている。このポンプ本体４０１ｂの構成は、特に限定されない。但し、これらモータ４０１ａとポンプ本体４０１ｂは、前述の所定の圧力を実現可能な仕様であることが必要である。また、吸込み流路４０４には、油から異物を除去するストレーナ（フィルタ）を設けてもよい。
【００２７】
なお、発明者らの計算によれば、供給圧力が０．１ＭＰａ程度で１リットル／分の供給量を実現するには、モータ４０１ａの出力トルクが０．０１６Ｎｍ程度でよくなり、また消費電力は１．７Ｗと非常に小さくてすむ。
【００２８】
調圧弁４０２は、弁本体として３ポート２位置の切換え弁（例えばスプール式のもの）を有し、ポートとして、入力ポート４０２ａ、出力ポート４０２ｂ、ドレンポート４０２ｃを有する。ここで、出力ポート４０２ｂは、逆止弁４０３の入力ポートに接続され、ドレンポート４０２ｃは、ドレン（大気圧であるオイルパン３０１への戻り流路）に接続される。
この調圧弁４０２の弁本体の動作位置としては、図１（ａ）に図記号で示すように、入力ポート４０２ａと出力ポート４０２ｂが最大開度で連通し、入力ポート４０２ａとドレンポート４０２ｃとの間が全閉状態となった出力全開位置と、入力ポート４０２ａとドレンポート４０２ｃが最大開度で連通し、入力ポート４０２ａと出力ポート４０２ｂとの間が全閉状態となった出力全閉位置とがある。
【００２９】
また、この調圧弁４０２には、出力全開位置に向けて弁体を付勢する付勢部材（コイルバネ等）が設けられているとともに、弁体を各方向に付勢する圧力を印加するためのパイロットポート４０２ｄ，４０２ｅが設けられている。ここで、出力全閉位置に向けて弁体を付勢するためのパイロットポート４０２ｄは、出力ポート４０２ｂ（逆止弁４０３の入力ポート）に接続され、調圧弁４０２自身の出力圧が印加される。また、出力全開位置に向けて弁体を付勢するためのパイロットポート４０２ｅは、電磁弁４１０の出力ポートに接続されている。
【００３０】
なお、調圧弁４０２の実際の調圧動作は、前述した出力全開位置と出力全閉位置の間の位置で実現される。即ち、定常状態では、パイロットポート４０２ｄの圧力（即ち、出力ポート４０２ｂの圧力）による付勢力と、パイロットポート４０２ｅの圧力による付勢力及び付勢部材による付勢力とがつり合う位置に、弁体が移動した調圧状態となり、このときの出力圧（即ち、出力ポート４０２ｂの圧力）が、調圧後の圧力になる。
そして本例の場合、この調圧弁４０２の出力圧（調整後の圧力の値）は、電磁弁４１０の作動状態によって変化するが、何れにしろ、前述したような所定の圧力（空気混入を防止する圧力であり、好ましくは、ガタ詰め完了前までの圧力）になるように、上記付勢部材の仕様や、各パイロットポートの圧力の受圧面積等が設計されている。
【００３１】
逆止弁４０３は、入力ポートから出力ポートの方向（順方向）にのみ油を流し、その逆方向の油の流れを阻止するもので、入力ポートは調圧弁４０２の出力ポート４０２ｂに接続され、出力ポートはオイルポンプ５０の吐出側に接続された吐出流路４２０に接続されている。なお、吐出流路４２０は、コントロールバルブユニット３００に接続され、前述の補助変速機１００における各摩擦係合要素のピストン室に供給する圧力の元圧として、オイルポンプ５０の出力を供給する流路であり、本発明における摩擦係合要素のピストン室までの流路に相当する。この逆止弁４０３の作動圧（リターンバネの付勢力に抗して開弁する圧力）は、前記所定の圧力（調圧弁４０２の出力圧）よりも十分に低い値に設定されている。なお、この逆止弁４０３は、エンジン稼動時（即ち、オイルポンプ５０稼動時）に、オイルポンプ５０から吐出された油が調圧弁４０２の側に流れてしまい、コントロールバルブユニット３００の側に十分な圧油を供給できなくなってしまう不具合を防止する。
【００３２】
電磁弁４１０は、ソレノイドの電磁力によって、出力ポート４１０ａを図示省略したドレンポート（大気圧であるオイルパン３０１への戻り流路に接続されるポート）に接続した開状態と、出力ポート４１０ａを前記ドレンポートに対して閉じた閉状態とに作動する電磁弁であり、前述のコントロールユニットによって制御される。
この電磁弁４１０の出力ポート４１０ａは、調圧弁４０２のパイロットポート４０２ｅに接続されているとともに、絞り４１１を介して調圧弁４０２の出力ポート４０２ｂに接続されている。
【００３３】
次に、上記低圧継続供給機構４００の動作を、これを制御するコントロールユニットの機能とともに説明する。
コントロールユニットは、通常時（車両のエンジン稼動時、及びアイドルストップでない通常のエンジン停止時）には、電動ポンプ４０１を停止状態に維持し、アイドルストップ時にのみ電動ポンプ４０１を例えば定格状態で作動させる。なお、例えば、車両のイグニションキースイッチがオフ操作されない限り（或いは、アイドルストップ機能を有効とするモード選択操作が車両ユーザによってなされている限り）、モータ４０１ａを常時作動させてスタンバイしておくことも原理的には可能である。しかし、なるべく省エネを図るためには、このように必要な時（アイドルストップ時）にのみ作動させるのが好ましい。
なお、電動ポンプ４０１が停止していると、調圧弁４０２のパイロットポート４０２ｄの圧力がゼロであるので、調圧弁４０２の弁本体は、付勢部材の付勢力によって前述した出力全開位置に維持される。
【００３４】
ここで、アイドルストップ時であるか否かの判定は、次のようにして行う。即ち、アイドルストップを自動的に行うアイドルストップ機能（例えば、車両停止から規定時間経過するとエンジンを自動的に停止し、その後運転者がブレーキ操作を解除するか、スロットル操作するとエンジンを自動的に再始動させる機能）を持つ車両の場合、そのアイドルストップ機能を制御するコントローラからアイドルストップ時であることを示す信号を受信するようにすればよい。但し、本発明はこのような態様に限定されるものではない。例えば、運転者によるアイドルストップ用のスイッチ操作等によってアイドルストップを実行する車両があった場合には、このスイッチ操作等の信号を自動変速機のコントロールユニットで受信して、アイドルストップ時であるか否かの判定を行う態様でもよい。
【００３５】
そしてコントロールユニットは、アイドルストップ時であると判定すると、電動ポンプ４０１を作動させるとともに、電磁弁４１０を開状態又は閉状態の何れかに制御する。すると、調圧弁４０２の出力圧（即ち、出力ポート４０２ｂの圧力）が、電動ポンプ４０１の吐出圧に応じて瞬時に上昇するが、パイロットポート４０２ｄの圧力も同様に上昇するため、調圧弁４０２は、瞬時に前述した調圧状態となり、出力圧が設定圧（前述した所定の圧力に相当する圧力）に調整される。
【００３６】
この際、電磁弁４１０が開状態にあると、絞り４１１の作用によってパイロットポート４０２ｅの圧力は大気圧レベルになるため、上記調圧状態での調圧弁４０２の弁体の位置は、出力全閉位置に比較的近い位置となり、調圧後の出力圧は、より低圧（例えば、０．１ＭＰａ）となる。また逆に、電磁弁４１０が閉状態にあると、パイロットポート４０２ｅの圧力は出力ポート４０２ｂと同程度になるため、上記調圧状態での調圧弁４０２の弁体の位置は、出力全開位置か又は出力全開位置に比較的近い位置となり、調圧後の出力圧は、比較的高圧（例えば、０．１ＭＰａを超え、０．２ＭＰａ以下の値）となる。
【００３７】
以上説明した本例の自動変速機によれば、アイドルストップ時（エンジン停止時）に、前記摩擦係合要素のピストン室までの流路内に空気混入を防止する圧力が供給されるから、そもそもアイドルストップ時における前記空気混入が発生しない。このため、アイドルストップ後のエンジン再始動時（車両発進時等）に、混入した空気による変速応答遅れ等の不具合が生じたり、或いは変速ショックが生じたりする不具合を、確実に回避できる。
しかも本例の自動変速機では、アイドルストップ時に供給する圧力を、空気混入を防止する程度の低い圧力としているため、電動ポンプ４０１等が小型なものですみ、レイアウト上の問題や省エネ上の問題を抑制できる。特に、上記圧力をガタ詰め完了前までの極低い圧力（例えば、０．１ＭＰａ）にすると、電動ポンプ４０１を含む低圧継続供給機構４００が極めて小型になり、例えば本例のようにコントロールバルブユニット３００等のスペースに設けること（自動変速機全体を小型に維持すること）も容易になるし、消費電力の問題もほとんど無くなる。
【００３８】
また、本例の自動変速機では、調圧弁４０２を設けてアイドルストップ時の供給圧を調整しているため、電動ポンプ４０１は例えば一定の定格状態（例えば、一定の定格電圧でモータ４０１ａを駆動している状態）で運転すればよく、電動ポンプ４０１の制御が簡単になる。また、電動ポンプ４０１の出力圧が、例えば電源電圧の変動等によって変動しても、供給圧を所定の圧力に維持できる。
また、本例の自動変速機では、調圧弁４０２の出力圧（調圧後の圧力）を変化させる電磁弁４１０が設けられているため、この電磁弁４１０を制御することによって、アイドルストップ時の供給圧を変化させることができる。なお、アイドルストップ時の供給圧を変化させることができると、例えば次のような運用が可能となる。即ち、アイドルストップの状態（車両停止時のアイドルストップか、車両走行時のアイドルストップかなど）によって、供給圧を最適な値に変化させることができる。
【００３９】
なお、本発明は上述した形態例に限られず、各種の変形や応用があり得る。
例えば、上記形態例では、低圧継続供給機構４００をコントロールバルブユニット３００に設けたが、本発明の低圧継続供給機構は、所定の摩擦係合要素のピストン室に油を供給できる場所であれば、コントロールバルブユニット以外の箇所に配置してもよい。
また、図１（ｂ）に示すように、電磁弁４１０を削除した低圧継続供給機構４００ａを備える構成（調圧弁４０２の出力圧を積極的に変化させない構成）であってもよい。なお、図１（ｂ）の場合の調圧弁４０２と、図１（ａ）の場合の調圧弁４０２とは、パイロットポート４０２ｅの有無において、厳密には異なる。
【００４０】
また、図１（ｃ）に示すように、調圧弁４０２も削除した低圧継続供給機構４００ｂを備える構成（電動ポンプ４０１の吐出圧をそのまま供給する構成）としてもよい。なお、この場合には、流量によって供給圧が変動しないように、電動ポンプ４０１の回転をコントロールユニットで制御して、供給圧を所定の圧力に積極的に調整する構成とすることが望ましい。
また、上記形態例では、電磁弁４１０を開状態か閉状態かの何れかに制御する態様（調圧弁４０２の出力圧を比較的高圧と比較的低圧の何れかに変化させる態様）を例示したが、電磁弁４１０を例えばデューティ制御することによって、供給圧（調圧弁４０２の出力圧）を連続的又は多段階に変化させる構成としてもよい。
【００４１】
また、例えば図３に示すようなベルト式無段変速機（ＣＶＴ）にも、本発明を適用できることはいうまでもない。以下、図３の変速機を説明する。
上記ベルト式無段変速機は、前輪駆動車（ＦＦ車）用のもので、エンジンの出力軸と同軸の第１軸５０１に配置されて、前記出力軸の回転を伝動する伝動装置（例えば、トルクコンバータ、図示省略）と、第１軸５０１における前記伝動装置に対してエンジンと反対側に配置されて、前記伝動装置の出力により駆動される駆動プーリ５０２と、第１軸と平行な第２軸（図示省略）に配置されて、前記駆動プーリ５０２とベルト（図示省略）により連結される従動プーリ（図示省略）と、第２軸における前記従動プーリに対してエンジン側に配置されて、前記従動プーリと一体に回転する出力ギア（図示省略）と、第２軸と平行な第３軸（図示省略）に配置されて、前記出力ギアとかみ合うアイドラギア（図示省略）と、前記第３軸に配置されて、前記アイドラギアと一体に回転するファイナルドライブギア（図示省略）と、第３軸と平行な第４軸（図示省略）に配置されて、前記ファイナルドライブギアに駆動される差動機構（前輪用）とを、筐体内に備える。
【００４２】
そして前記筐体が、ケーシング５０３と、このケーシング５０３のエンジン側に取り付けられるハウジング（図示省略）と、ケーシング５０３のエンジンと反対側に取り付けられるサイドカバー（図示省略）とによって構成されている。
そして、第１軸の伝動装置と駆動プーリ５０２の間の位置には、オイルポンプ５０５と、前後進切換機構５０６が設けられている。
オイルポンプ５０５は、第１軸５０１によって駆動され（即ち、エンジンの回転によって駆動され）、油圧を発生させるものである。
【００４３】
前後進切換機構５０６は、サンギア５０７、ピニオンギア５０８、及びリングギア５０９よりなるプラネタリーギアと、クラッチ５１０と、クラッチ５２０と、よりなる。
ここで、サンギア５０７は、その内周において駆動プーリ５０２にスプラインで連結され、駆動プーリ５０２と一体に回転する。
【００４４】
クラッチ５１０は、ドラム５１１にスプラインで連結されたドライブプレートと、ハブ５１２にスプラインで連結されたドリブンプレートとを交互に積層してなる多板式のもので、図３において左右に（軸方向に）摺動するピストン５１３により各プレートが密着方向に押し付けられて発生する摩擦力により、ドラム５１１とハブ５１２とを締結する。
なお、ピストン５１３は、ドラム５１１とこのピストン５１３との間に形成された油室５１４（ピストン室）に、ドラム５１１の内周側円筒部に形成された油路（符号省略）を介して、オイルポンプ５０５からの圧油が供給されることにより締結位置に移動し、リテーナ５１５とこのピストン５１３との間に圧縮状態に介装されたスプリング５１６の復元力により締結解除位置に復帰する。
また、ドラム５１１は、第１軸５０１にスプラインで連結されており、このドラム５１１には、前述の伝動装置を介してエンジンの回転が伝達される。また、ハブ５１２は、サンギア５０７に固定され、サンギア５０７や駆動プーリ５０２と一体に回転する。
【００４５】
一方、クラッチ５２０は、ドラムとしてのケーシング５０３にスプラインで連結されたプレートと、ハブ５２２にスプラインで連結されたプレートとを交互に積層してなる多板式のもので、図３において左右に（軸方向に）摺動するピストン５２３により各プレートが密着方向に押し付けられて発生する摩擦力により、ドラム（ケーシング５０３）とハブ５２２とを締結する。
なお、ピストン５２３は、ケーシング５０３とこのピストン５２３との間に形成された油室５２４（ピストン室）に、ケーシング５０３に形成された油路（図示省略）を介して、オイルポンプ５０５からの圧油が供給されることにより締結位置に移動し、リテーナ５２５とこのピストン５２３との間に圧縮状態に介装されたスプリング５２６の復元力により締結解除位置に復帰する。
また、ハブ５２２は、ピニオンギア５０８を回転自在に支持する軸部材５２７に固定され、ピニオンギア５０８の公転運動に連動して回転する。
【００４６】
そして、上記ベルト式無段変速機では、車両前進時には、例えばクラッチ５１０が締結状態に制御され、クラッチ５２０が締結解除状態に制御される。このように制御されると、ピニオンギア５０８がフリーになり、クラッチ５１０を介してサンギア５０７とリングギア５０９が連結される。このため、駆動プーリ５０２と、サンギア５０７、ピニオンギア５０８、及びリングギア５０９の全体が、ドラム５１１や第１軸５０１と一体的に回転し、駆動プーリ５０２が第１軸５０１と同じ回転方向（車両前進方向）に回転する。
また、車両後進時には、例えばクラッチ５１０が締結解除状態に制御され、クラッチ５２０が締結状態に制御される。このように制御されると、ピニオンギア５０８がクラッチ５２０を介してケーシング５０３に連結された固定状態となり、サンギア５０７はリングギア５０９に対してフリーになる。このため、ピニオンギア５０８が自転する状態（公転運動しない状態）となり、サンギア５０７がリングギア５０９と逆方向に回転し、駆動プーリ５０２が第１軸５０１と逆回転方向（車両後進方向）に回転する。
【００４７】
なお、車両の前後進方向と駆動プーリ５０２の回転方向の関係や、変速比の関係によっては、クラッチ５１０とクラッチ５２０が逆になる場合（クラッチ５１０が後進時に締結され、クラッチ５２０が前進時に締結される場合）も有り得る。また、クラッチ５２０は、実際にはブレーキとして機能するが、ここでは広義の意味でクラッチと表現している。
いずれにしろ、上記各クラッチ５１０，５２０は、本発明の摩擦係合要素に相当し、既述したような空気混入の問題があり、本発明を適用することで、前述した形態例と同様の効果が得られる。
【図面の簡単な説明】
【００４８】
【図１】自動変速機の油圧回路における特徴部分を示す図であり、（ａ）は第１の形態例、（ｂ），（ｃ）は他の形態例である。
【図２】自動変速機の部分断面図である。
【図３】自動変速機（他の形態例）の部分断面図である。
【符号の説明】
【００４９】
５０  オイルポンプ（車両のエンジンにより駆動されるポンプ）
１７０  リバースクラッチ（摩擦係合要素）
１７０ａ  油室（ピストン室）
１８０  ハイクラッチ（摩擦係合要素）
１９０  フォワードクラッチ（摩擦係合要素）
４００  低圧継続供給機構
４０１  電動ポンプ（低圧供給用ポンプ）
４０２  調圧弁
４０３  逆止弁
４１０  電磁弁
５０５  オイルポンプ（車両のエンジンにより駆動されるポンプ）
５１０，５２０  クラッチ（摩擦係合要素）
５１４，５２４  油室（ピストン室）
【図１】
2006283809.tif 000003
【図２】
2006283809.tif 000004
【図３】
2006283809.tif 000005